(57)【要約】【課題】框体の内側にガラスが納められる建具において、ガラス外れを確実に防止できるとともに異なるサイズの建具への適用も容易な製造性の高い構成を提供すること。【解決手段】建具１は、吊元側縦框３３及び戸先側縦框３４と、ガラス２５の見込方向一側（室外側）で見付方向に延びる押さえ片４２及び押さえ片４２を保持し、吊元側縦框３３及び戸先側縦框３４に固定されるガラス外れ止め部材４０と、ガラス２５の端面に対向する第１壁部１５０及び第１壁部１５０から屈曲し、ガラス２５の室外側面に見込方向一側で対面するとともに吊元側縦框３３及び戸先側縦框３４の長手方向に延びる第２壁部１６０を有する長尺部材１００と、を備える。長尺部材１００は、その第２壁部１６０のガラス２５と対面する側と反対側の面がガラス外れ止め部材４０の押さえ片４２に対面するとともに第１壁部１５０がガラス外れ止め部材４０とガラス２５の間に位置する。【選択図】図６
2019085822.tif 000002
【特許請求の範囲】
【請求項１】
框体及び前記框体の内側に納められるガラスを備える建具であって、
前記框体を構成し、所定方向に延びる框と、
前記ガラスの見込方向一側で見付方向に延びる押さえ片及び前記押さえ片を保持し、前記框に固定される保持部を有するガラス外れ止め部材と、
前記ガラスの端面に対向する第１壁部及び前記第１壁部から屈曲し、前記ガラスの室外側面又は室内側面の少なくともいずれか一方に見込方向一側で対面するとともに前記框の長手方向に延びる第２壁部を有する長尺部材と、
を備え、
前記長尺部材は、その前記第２壁部の前記ガラスと対面する側と反対側の面が前記ガラス外れ止め部材の前記押さえ片に対面するとともに前記第１壁部が前記ガラス外れ止め部材と前記ガラスの端面の間に位置する建具。
【請求項２】
前記ガラス外れ止め部材は、
前記長手方向で間隔をあけて少なくとも２つ配置され、２箇所以上で前記長尺部材を支持する請求項１に記載の建具。
【請求項３】
前記框として左右方向一側に配置される一側縦框の前記ガラス側の見込面の上部に配置される第１セッティングブロックと、
前記框として左右方向他側に配置される他側縦框の前記ガラス側の見込面の下部に配置される第２セッティングブロックと、
を更に備え、
前記長尺部材は、
前記一側縦框の見込面における前記第１セッティングブロックの下方及び前記他側縦框の見込面における前記第２セッティングブロックの上方のそれぞれに配置され、前記一側縦框と前記他側縦框で配置場所の高さが異なる請求項１又は２に記載の建具。
【発明の詳細な説明】
【技術分野】
【０００１】
本発明は、框体の内側にガラスが納められる建具に関する。
【背景技術】
【０００２】
従来、ガラスの外れを防止するために框体の見込面にガラス外れ止め部材を配置する建具が知られている。この種の建具に関するものとして特許文献１や特許文献２がある。
【０００３】
特許文献１には、面材と、面材の外周部を収容する面材収容部を有する枠部材と、面材の面外方向の移動を規制し、面材の面内方向における枠部材との間隔が変化する方向に移動可能に面材収容部内に設けられた金属製の規制金具と、規制金具と枠部材の間に設けられ、加熱されて発泡し規制金具を面材側に押圧する加熱発泡材と、を有する建具が記載されている。
【０００４】
特許文献２では、以下のような建具について記載されている。ガラスパネルの室外側の少なくとも２辺を、縦枠又は横枠の室外側に取付ける押縁によりシール材を介して固定する。室外側より押縁を取付ける縦枠又は横枠のうちの少なくとも１つに外れ止め金具を取付ける。外れ止め金具は、ガラスパネルの室外側の面に対面する外れ止め部と、見込み面部と、室内側見付け面部に重ねる取付け部とを有する。取付け部を室外側から取付ける固定具によって見付け面部に外れ止め金具を取り付ける。
【先行技術文献】
【特許文献】
【０００５】
【特許文献１】特開２０１６−１９９８９８号公報
【特許文献２】特開２０１４−１０５５５７号公報
【発明の概要】
【発明が解決しようとする課題】
【０００６】
ところで、防火要件の関係や框の長手方向の長さが長い場合等、１つの框に多数のガラス外れ止め部材を配置する必要が生じることがある。ガラス外れ止め部材の数が多くなればそれだけガラス外れ止めを框に固定するための工数が多くなり、製造工程の複雑化及びコスト増の原因ともなる。この点、特許文献１には、框材の全長に亘る規制金具が設けられている構成であってもよいことが記載されており、特許文献２には長尺の外れ止め金具を用いることが記載されている。しかし、特許文献１や特許文献２に記載されるようにガラス外れ止め部材を長くしても、ガラス外れ止め部材を取り付ける対象の框の長さが変わってしまえば框の長さに応じてガラス外れ止め部材を改めて製造する必要がある。
【０００７】
本発明は、框体の内側にガラスが納められる建具において、ガラス外れを確実に防止できるとともに異なるサイズの建具への適用も容易な製造性の高い構成を提供することを目的とする。
【課題を解決するための手段】
【０００８】
本発明は、框体（例えば、後述の框体３０）及び前記框体の内側に納められるガラス（例えば、後述のガラス２５）を備える建具（例えば、後述の建具１）であって、前記框体を構成し、所定方向に延びる框（例えば、後述の吊元側縦框３３、戸先側縦框３４）と、前記ガラスの見込方向一側で見付方向に延びる押さえ片（例えば、後述の押さえ片４２）及び前記押さえ片を保持し、前記框に固定される保持部(例えば、後述の保持金具４１及び受台部４３)を有するガラス外れ止め部材（例えば、後述のガラス外れ止め部材４０）と、前記ガラスの端面に対向する第１壁部（例えば、後述の第１壁部１５０）及び前記第１壁部から屈曲し、前記ガラスの室外側面又は室内側面の少なくともいずれか一方に見込方向一側で対面するとともに前記框の長手方向に延びる第２壁部（例えば、後述の第２壁部１６０）を有する長尺部材（例えば、後述の長尺部材１００）と、を備え、前記長尺部材は、その前記第２壁部の前記ガラスと対面する側と反対側の面が前記ガラス外れ止め部材の前記押さえ片に対面するとともに前記第１壁部が前記ガラス外れ止め部材と前記ガラスの端面の間に位置する建具に関する。
【０００９】
前記ガラス外れ止め部材は、前記長手方向で間隔をあけて少なくとも２つ配置され、２箇所以上で前記長尺部材を支持することが好ましい。
【００１０】
前記框として左右方向一側に配置される一側縦框（例えば、後述の戸先側縦框３４）の前記ガラス側の見込面の上部に配置される第１セッティングブロック（例えば、後述のセッティングブロック１０１ａ）と、前記框として左右方向他側に配置される他側縦框（例えば、後述の吊元側縦框３３）の前記ガラス側の見込面の下部に配置される第２セッティングブロック（例えば、後述のセッティングブロック１０１ｂ）と、を更に備え、前記長尺部材は、前記一側縦框の見込面における前記第１セッティングブロックの下方及び前記他側縦框の見込面における前記第２セッティングブロックの上方のそれぞれに配置され、前記一側縦框と前記他側縦框で配置場所の高さが異なることが好ましい。
【発明の効果】
【００１１】
本発明の建具によれば、ガラス外れを確実に防止できるとともに異なるサイズの建具への適用も容易な製造性の高い構成を実現できる。
【図面の簡単な説明】
【００１２】
【図１】本発明の一実施形態に係る建具を室外側から見た様子を示す図である。
【図２】本実施形態の建具の縦断面図である。
【図３】本実施形態の建具の吊元側縦框の内部及びその周囲を示す横断面図である。
【図４】本実施形態の建具の戸先側縦框の内部及びその周囲を示す横断面図である。
【図５】本実施形態のガラス外れ止め部材の分解斜視図である。
【図６】本実施形態のガラス、長尺部材及びガラス外れ止め部材の位置関係を模式的に示す図である。
【図７】本実施形態の戸先側縦框に配置される長尺部材及びガラス外れ止め部材の使用状態を示す拡大斜視図である。
【発明を実施するための形態】
【００１３】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１４】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１５】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１６】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１７】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１８】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１９】
図３は、本実施形態の建具１の吊元側縦框３３の内部及びその周囲を示す横断面図である。まず、吊元側縦框３３に対向する吊元側縦枠１３について説明する。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００２０】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２１】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２２】
図４は、本実施形態の建具１の戸先側縦框３４の内部及びその周囲を示す横断面図である。戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２３】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２４】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２５】
次に、障子２０の構成について説明する。障子２０は、ガラス２５と、ガラス２５を囲うように構成される框体３０と、を含むように構成される戸体である。
【００２６】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ-Ｅ（Ｌｏｗ Ｅｍｉｓｓｉｖｉｔｙ）ガラスで構成される。
【００２７】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２８】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２９】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００３０】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３１】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３２】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３３】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３４】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３５】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３６】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３７】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３８】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３９】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００４０】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４１】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４２】
また、枠体１０に開閉可能に吊り込まれる障子２０は、上枠１１と上框３１を接続するアーム部材６１によって所定以上開かないように開閉範囲が規制される。
【００４３】
次に、框体３０の内側（ガラス２５側）の見込面に配置される構成について説明する。ガラス外れ止め部材４０、加熱発泡材９１、セッティングブロック１０１、長尺部材１００等が配置される。
【００４４】
ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４５】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。本実施形態では、加熱発泡材９１は、後述のガラス外れ止め部材４０の受台部４３におけるガラス２５側の見込面に両面テープ等によって固定される（図３及び図４参照）。
【００４６】
次に、ガラス外れ止め部材４０の詳細な構成について説明する。図５は、本実施形態のガラス外れ止め部材４０の分解斜視図である。
【００４７】
図５に示すように、ガラス外れ止め部材４０は、框体３０に固定される保持金具４１と、保持金具４１の上に配置され、保持金具４１の上に配置される受台部４３と、受台部４３に係合する押さえ片４２と、からなる。本実施形態では、保持金具４１、受台部４３及び押さえ片４２は、何れも金属製（例えば、ステンレス鋼）である。
【００４８】
保持金具４１は、固定部４１ａと、側壁部４１ｂと、スリット部４１ｃを有する。
固定部４１ａは、略長方形の平坦な面を有するとともに、長手方向の一方及び他方に締結孔４１ｄを有する。固定部４１ａは、締結孔４１ｄにネジを挿通して框体３０のガラス開口部２９の見込面に固定される（図７参照）。
側壁部４１ｂは、保持金具４１の長手方向に沿う一対の側縁の内の一方から起立する板面である。側壁部４１ｂは、保持金具４１がガラス開口部２９に取り付けられた状態で、固定部４１ａの室内側の端部から起立する。側壁部４１ｂは、取り付けた状態でガラス２５の面に対向する。
スリット部４１ｃは、固定部４１ａと側壁部４１ｂとの接続部（固定部４１ａと側壁部４１ｂが交差する角部）に形成され、保持金具４１の長手方向の中央寄りに配置される。スリット部４１ｃは、後述する押さえ片４２の係合部４２ｂ及び足部４２ｃに対向する部分が切り欠かれて貫通する細長い貫通孔である。
【００４９】
受台部４３は、台部４３ａと、取付部４３ｂとを有する。受台部４３は、平面視で略コ字状の板状の部材であり、保持金具４１の上に載せて固定される。
台部４３ａは、略長方形の平坦な面である。台部４３ａは、側面から見ると受台部４３の取り付け面（保持金具４１と接する面）よりも高い位置にあり、受台部４３を保持金具４１に取り付けた状態で、固定部４１ａとの間に隙間を形成するように配置される。
取付部４３ｂは、台部４３ａの両側から下方に屈曲し、台部４３ａよりも低い位置に延びる平坦な取り付け面である。取付部４３ｂは、ネジの締結孔４３ｃを有し、ネジにより保持金具４１に固定される。
【００５０】
押さえ片４２は、押さえ部４２ａと、係合部４２ｂと、足部４２ｃと、を有する三股の部材である。
押さえ部４２ａは、略長方形の板面であり、取り付けた状態で保持金具４１の側壁部４１ｂとも対向するように起立する（図５参照）。押さえ部４２ａは、ガラス２５の室外側面を押さえる。
係合部４２ｂは、押さえ部４２ａの長手方向の略中央部から、框体３０の見込面に沿う方向に延びる。係合部４２ｂは、平面視で略Ｔ字状であり、押さえ部４２ａを基端として延び、係合部４２ｂの先端部で二股に分かれている。係合部４２ｂは、二股に分かれた先が爪部４２ｄとなって、押さえ部４２ａ側へ戻るように延びるとともに、上方に反って傾斜している。
足部４２ｃは、押さえ部４２ａの長手方向の両端部から係合部４２ｂと平行な方向に延びる細長い面である。足部４２ｃは平面視で係合部４２ｂの両側部に延びる。足部４２ｃの先端部４２ｅは、係合部４２ｂの爪部４２ｄと反対方向に向かって上方に沿って傾斜している。足部４２ｃは、係合部４２ｂと上下方向の高さが異なる。足部４２ｃは、係合部４２ｂよりも低く、固定部４１ａに摺動可能になっており、係合部４２ｂは、足部４２ｃよりも高い位置で、固定部４１ａと接しないように延びている。
【００５１】
押さえ片４２は、係合部４２ｂ及び足部４２ｃを、保持金具４１の固定部４１ａと、受台部４３の台部４３ａとの間に挿入して配置される。
押さえ片４２が固定部４１ａと台部４３ａとの間の隙間に挿入された状態で、係合部４２ｂの先端部は、スリット部４１ｃ内に位置する（図５参照）。詳細には、係合部４２ｂの先端部は、ガラス２５の室内側の表面よりも、室内側に位置する。
【００５２】
係合部４２ｂの爪部４２ｄは、押さえ片４２側に向かって上方に沿って傾斜しているので、押さえ片４２を室外側に引き抜こうとしても、係合部４２ｂが台部４３ａの側縁に係合することで、押さえ片４２が外れないように構成されている。
なお、足部４２ｃの先端部４２ｅは上方に向かって沿って傾斜しており、室外側へ摺動しやすくなっている。
【００５３】
押さえ片４２は、受台部４３に係合した状態でも見込方向で若干の移動が可能となっている。受台部４３と押さえ片４２の係合を解除する場合は、スリット部４１ｃから、係合部４２ｂの爪部４２ｄを、ドライバー等で台部４３ａに引っ掛からないように下方に押し込んだ状態で、押さえ部４２ａ側に向かって移動させる。爪部４２ｄは、ドライバー等で押さえられた状態で台部４３ａの下を通過し、押さえ片４２と受台部４３との係合が解除される。
【００５４】
ガラス外れ止め部材４０は、このように、保持金具４１、受台部４３、押さえ片４２がそれぞれ組み合わされて固定された状態で、押さえ片４２の押さえ部４２ａと、保持金具４１の側壁部４１ｂとがガラス２４の面に対向する方向に延び、ガラス２５の室内外方向の移動を規制する。ガラス外れ止め部材４０は、ガラス２５が火災等で高熱に曝されて変形した際、ガラス２５が框体３０から外れることを防止する。
【００５５】
次に、セッティングブロック１０１について説明する。図１に示すように、セッティングブロック１０１は、框体３０を構成する上框３１、下框３２、吊元側縦框３３及び戸先側縦框３４のガラス開口部２９の見込面のそれぞれに配置される。
【００５６】
戸先側縦框３４に配置されるセッティングブロック１０１をセッティングブロック１０１ａとし、吊元側縦框３３の見込面に配置されるセッティングブロック１０１をセッティングブロック１０１ｂとすると、セッティングブロック１０１ａとセッティングブロック１０１ｂは、左右非対称（点対称）位置関係となっている。即ち、セッティングブロック１０１ａは、戸先側縦框３４のガラス開口部２９の見込面における上端部の近傍に配置されており、セッティングブロック１０１ｂは、吊元側縦框３３のガラス開口部２９の見込面における下端部の近傍に配置されている。
【００５７】
上框３１の見込面に配置されるセッティングブロック１０１をセッティングブロック１０１ｃとし、下框３２に配置されるセッティングブロック１０１をセッティングブロック１０１ｄとすると、セッティングブロック１０１ｃは、上框３１に固定されるガラス外れ止め部材４０の戸先側に位置し、セッティングブロック１０１ｄは下框３２に固定されるガラス外れ止め部材４０の吊元側に位置する。これらのセッティングブロック１０１ａ〜１０１ｄによってガラス２５の上下左右の端面が支持されることにより、ガラス開口部２９の内側でガラス２５が適正な位置で保持される。
【００５８】
次に、長尺部材１００について説明する。図６は、本実施形態のガラス２５、長尺部材１００及びガラス外れ止め部材４０の位置関係を模式的に示す図である。図７は、本実施形態の戸先側縦框３４に配置される長尺部材１００ａ及びガラス外れ止め部材４０の使用状態を示す拡大斜視図である。なお、図７では、押し縁部材３６の図示を省略している。なお、以下の説明において、ガラス２５の端面は、ガラス２５において框（上框３１、下框３２、吊元側縦框３３及び戸先側縦框３４）の見込面に対向する面である。また、ガラス２５の室外側面及び室内側面は、ガラス２５の見付面であり、ガラス２５の端面近傍では、框（上框３１、下框３２、吊元側縦框３３及び戸先側縦框３４）の一部の部位（見付面）に対向する面である。
【００５９】
図６及び図７に示すように、長尺部材１００は、第１壁部１５０及び第１壁部１５０に直交する第２壁部１６０を有する断面Ｌ字形状の金属製部材である。
【００６０】
第１壁部１５０は、ガラス２５の端面に対向する面を有するとともに、第１壁部１５０のガラス２５に対向する面の反対側の面はガラス外れ部材４０の受台部４３の見込面（ガラス２５側の面）に対向する。
【００６１】
第２壁部１６０は、ガラス２５の室外側ガラス２５ａに対面する面を有するとともに、第２壁部１６０の室外側ガラス２５ａに対面する面の反対側の面が押し縁部材３６の裏側に対向する（図３及び図４参照）。本実施形態では、第２壁部１６０の室外側ガラス２５ａに対面する面に両面テープを貼り付けてガラス２５（室外側ガラス２５ａ）に対して位置ずれしないようになっている。
【００６２】
長尺部材１００の取付作業は、框体３０に保持金具４１及び受台部４３を配置した状態でガラス２５を嵌め込み、長尺部材１００を室外側から差し込む。長尺部材１００の第１壁部１５０が受台部４３とガラス２５の端面の間に入り込んだ状態で上下二カ所の受台部４３に押さえ片４２を嵌合固定する。
【００６３】
また、戸先側縦框３４に配置される長尺部材１００を長尺部材１００ａとし、吊元側縦框３３に配置される長尺部材１００を長尺部材１００ｂとすると、長尺部材１００ａと長尺部材１００ｂは、取付位置の高さが異なっている。図１に示すように、本実施形態では、長尺部材１００ａの上端面がセッティングブロック１０１ａの下端面に近接又は接触しており、長尺部材１００ｂの下端面がセッティングブロック１０１ｂの上端面に近接又は接触している。
【００６４】
以上説明した上記実施形態の構成によれば、以下のような効果を奏する。
建具１は、框体３０を構成し、所定方向に延びる吊元側縦框３３及び戸先側縦框３４と、ガラス２５の見込方向一側（室外側）で見付方向に延びる押さえ片４２及び押さえ片４２を保持し、吊元側縦框３３及び戸先側縦框３４に固定され保持金具４１及び受台部４３を有するガラス外れ止め部材４０と、ガラス２５の端面に対向する第１壁部１５０及び第１壁部１５０から屈曲し、ガラス２５の室外側面に見込方向一側で対面するとともに吊元側縦框３３及び戸先側縦框３４の長手方向に延びる第２壁部１６０を有する長尺部材１００と、を備える。長尺部材１００は、その第２壁部１６０のガラス２５と対面する側と反対側の面がガラス外れ止め部材４０の押さえ片４２に対面するとともに第１壁部１５０がガラス外れ止め部材４０とガラス２５の端面の間に位置する。
【００６５】
これにより、長尺部材１００ａによって戸先側縦框３４の長手方向でガラス２５の外れを隙間なく防止できるとともに、長尺部材１００ｂによって吊元側縦框３３の長手方向でガラス２５の外れを隙間なく防止できる。これによって必要なガラス外れ止め部材４０の数を削減できるとともに、ガラス２５の外れを阻止するためにガラス外れ止め部材４０を取り付けるための工程を簡素化できる。また、ガラス外れ止め部材４０を利用して長尺部材１００を支持する構成なので、框やガラスのサイズが異なる建具に長尺部材１００を適用する場合は、長尺部材１００の長さを変えるだけで対応でき、サイズの異なる建具にも柔軟に容易に適用できる
【００６６】
また、本実施形態では、ガラス外れ止め部材４０は、長手方向で間隔をあけて少なくとも２つ配置され、２箇所以上で長尺部材１００を支持する。
これにより、戸先側縦框３４や吊元側縦框３３の長手方向のサイズが大きい場合であっても、長尺部材１００ａ，１００ｂを上下に配置されるガラス外れ止め部材４０によって安定的に保持することができる。
【００６７】
また、本実施形態では、左右方向一側に配置される戸先側縦框３４のガラス２５側の見込面の上部に配置されるセッティングブロック１０１ａと、左右方向他側に配置される吊元側縦框３３のガラス２５側の見込面の下部に配置されるセッティングブロック１０１ｂと、を更に備える。戸先側縦框３４に配置される長尺部材１００ａが、戸先側縦框３４の見込面におけるセッティングブロック１０１ａの下方に位置するとともに、吊元側縦框３３に配置される長尺部材１００ｂが吊元側縦框３３の見込面におけるセッティングブロック１０１ｂの上方に配置される。長尺部材１００ａと長尺部材１００ｂは、戸先側縦框３４と吊元側縦框３３で配置場所の高さが異なる。
これにより、戸先側縦框３４ではセッティングブロック１０１ａが上部に配置され、吊元側縦框３３ではセッティングブロック１０１ｂが下部に配置されるような建具１においても、ガラス外れ止め部材の締結位置を大きく変えずに同じ長さの長尺部材１００ａ，１００ｂを用いることができ、製造性をより一層向上させることができる。
【００６８】
上記実施形態では、ガラス外れ止め部材４０及び長尺部材１００の何れにおいても、ガラス２５の外れを防止する面が室外側に配置される構成であるが、この構成に限定されない。例えば、ガラス外れ止め部材４０においては室内側にも押さえ片４２と同様の構成を備え、ガラス２５の端部を見込方向で挟み込むように構成することもできるし、長尺部材１００においてもその断面形状が略Ｕ字形状のものを用いて室内側にも第２壁部１６０と同様の面を有するように構成することもできる。ここでいうガラス２５の端部はガラスの側面及び端面を含めたガラスの端の部分のことである。このように、長尺部材１００及びガラス外れ止め部材４０の構成は、事情に応じて適宜変更することができる。
【００６９】
以上、本発明の好ましい実施形態について説明したが、本発明は、上述の実施形態及び変形例に制限されるものではなく、適宜変更が可能である。例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【００７０】
また、上記実施形態では、勝手口ドアを本発明の建具の一例として説明したがこの構成に限定されるわけではなく、スイング式の開閉ドアや開閉窓等、障子を開閉する構成やＦＩＸ窓のような嵌め殺し窓等、種々の建具に本発明を適用することができる。
【符号の説明】
【００７１】
１  建具
２５  ガラス
３０  框体
３３  吊元側縦框（框、一側縦框）
３４  戸先側縦框（框、他側縦框）
４０  ガラス外れ止め部材
４１  保持金具（保持部）
４２  押さえ片
４３  受台部（保持部）
１００（１００ａ，１００ｂ）  長尺部材
１０１ａ  セッティングブロック
１０１ｂ  セッティングブロック
１５０  第１壁部
１６０  第２壁部
【図１】
2019085822.tif 000003
【図２】
2019085822.tif 000004
【図３】
2019085822.tif 000005
【図４】
2019085822.tif 000006
【図５】
2019085822.tif 000007
【図６】
2019085822.tif 000008
【図７】
2019085822.tif 000009